(57)【要約】【課題】被検査体の表面の疵が浅いものであっても高感度に検出することができる外観検査装置を提供すること。【解決手段】本発明の外観検査装置は、平面状の被検査体の表面を検査する装置であって、a)互いに近接した複数の平行な線状光を前記被検査体の表面に照射する光源と、b)前記被検査体の表面で反射した、もしくは、前記被検査体を透過した、前記複数の平行な線状光のいずれかを受光する位置、又はそれらの近傍の位置に配置された前記線状光に平行な線状の受光部とを備えることを特徴とする。被検査体の表面に照射された複数の線状光は、被検査体の表面の疵があると、該疵の箇所で反射又は透過して受光部に入る時、互いに異なる角度で入射する。このため、浅い疵であっても、いずれかの反射光／透過光でその欠陥を検出することができ、全体として被検査体の表面の欠陥を高感度に検出することができる。【選択図】図１
2015225003.tif 000002
【特許請求の範囲】
【請求項１】
平面状の被検査体の表面を検査する装置であって、
a)互いに近接した複数の平行な線状光を前記被検査体の表面に照射する光源と、
b)前記被検査体の表面で反射した、もしくは、前記被検査体を透過した、前記複数の平行な線状光のいずれかを受光する位置、又はそれらの近傍の位置に配置された前記線状光に平行な線状の受光部と
を備えることを特徴とする外観検査装置。
【請求項２】
前記光源からの前記線状光の入射角が10度以下であることを特徴とする請求項１に記載の外観検査装置。
【請求項３】
前記線状の受光部は、カメラで撮像した画像の中から1本の線状のデータを抜き出すものであることを特徴とする請求項１又は２に記載の外観検査装置。
【請求項４】
さらに、前記被検査体を前記複数の線状光と平行でない方向に移動させる移動機構を備えることを特徴とする請求項１〜３のいずれかに記載の外観検査装置。
【請求項５】
さらに、前記移動機構の一方の端部に、被検査体の表裏を反転させる反転機構を備えることを特徴とする請求項４に記載の外観検査装置。
【請求項６】
前記互いに近接した複数の平行な線状光は、線状の光源の一部をその長手方向に平行な遮光テープで覆うことにより作製されることを特徴とする請求項１〜５のいずれかに記載の外観検査装置。
【請求項７】
さらに、イメージセンサを備えることを特徴とする請求項６に記載の外観検査装置。
【発明の詳細な説明】
【技術分野】
【０００１】
本発明は、平面状の被検査体の表面の疵や凹凸などの欠陥、被検査体の形状、被検査体に取り付けられている装着物等の配置や寸法などの、被検査体の外観を検査する装置に関する。
【背景技術】
【０００２】
従来より、スマートフォン本体（筐体）や、その表面に装着されるガラス基板などの平面状の被検査体の表面の欠陥を検査するために、被検査体を移動させつつ、その移動方向に垂直な線状の光を被検査体表面に照射し、そこで反射した光をセンサで受光する方法が用いられている。例えば、特許文献１には、移動する帯状体の表面に1本の線状光を照射し、帯状体の表面で反射された線状光の反射像を時間遅延積分型ビデオカメラで撮像して帯状体の表面の欠陥を検査する装置が記載されている。
【先行技術文献】
【特許文献】
【０００３】
【特許文献１】特開2004-132800号公報
【発明の概要】
【発明が解決しようとする課題】
【０００４】
特許文献１では、1本の線状光を被検査体表面に照射し、そこで反射してくる線状光を、時間遅延積分型ビデオカメラ（TDIカメラ）の1次元画素列から成るセンサ（TDIセンサ）で検出している。そのため、被検査体の表面上にある凹凸や疵（欠陥）が浅いものである場合、その角度によっては反射してくる線状光における欠陥による強度の低下が僅かなものとなり、検出が難しいことがあった。
【０００５】
本発明が解決しようとする課題は、被検査体の表面の疵が浅いものであっても高感度に検出することができる外観検査装置を提供することである。
【課題を解決するための手段】
【０００６】
上記課題を解決するために成された本発明は、平面状の被検査体の表面を検査する装置であって、
a)互いに近接した複数の平行な線状光を前記被検査体の表面に照射する光源と、
b)前記被検査体の表面で反射した、もしくは、前記被検査体を透過した、前記複数の平行な線状光のいずれかを受光する位置、又はそれらの近傍の位置に配置された前記線状光に平行な線状の受光部と
を備えることを特徴とする外観検査装置である。
【０００７】
ここで、複数の平行な線状光について「互いに近接した」とは、それら複数の平行な線状光の間の距離が、検出しようとする欠陥の大きさよりも小さいことを意味する。また、線状の受光部の位置について「受光する位置の近傍の位置」とは、複数の平行な線状光の間の位置、あるいは、それら複数の平行な線状光の端のものからそれら複数の線状光の全体の幅よりも短い距離だけ離れた位置のことを言う。
【０００８】
本発明に係る外観検査装置では、被検査体の表面に複数の線状光が照射されるため、被検査体の表面の欠陥で反射される、又は被検査体の欠陥の箇所を透過する、それら複数の線状光の各反射光／透過光は、受光部に入る時、互いに異なる角度で入射する。このため、浅い疵であっても、いずれかの反射光／透過光でその欠陥を検出することができ、全体として被検査体の表面の欠陥を高感度に検出することができる。
【０００９】
前記光源からの（複数の）線状光の入射角（線状光の光路と被検査体表面における法面の成す角度）は10度以下とすることが望ましい。
【００１０】
このように入射角を小さくすることにより、光源と検出部の間の距離（被検査体の表面に平行な方向の距離）が小さくなり、外観検査装置の全長を小さくすることができる。また、透明度の高い被検査体の欠陥の検査がより容易となる。すなわち、透明度の高い被検査体の場合、入射角を小さくするほど、欠陥の無い箇所では透過する光の割合が多くなり、欠陥からの反射光がより検出しやすくなる。
【００１１】
前記線状の受光部は、複数の平行な線状光の直接反射光をいずれも受光しないものとする（これを「散乱光受光タイプ」と呼ぶ。）こともできるし、いずれか1本の線状光の反射光を直接受光するようにしてもよい（これを「直接光受光タイプ」と呼ぶ。）。散乱光受光タイプは、無色又は被検査体と同色の凹凸、しわ、疵などの欠陥を検出するのに適しており、直接光受光タイプは、有色又は遮光物の異物、黒点、よごれ、などの欠陥を検出するのに適している。
【００１２】
前記線状の受光部は、カメラで撮像した画像の中から1本の線状のデータを抜き出すものとすることができる。この構成により、高価なラインセンサを用いることなく、一般のカメラを用いることができるようになる。また、ラインセンサの場合、線状光を受光すべき位置に正確に設定しなければならず、設定が面倒であるが、カメラの場合、そのような面倒な位置設定が不要となる。
【００１３】
本発明に係る外観検査装置は、さらに、
前記被検査体を前記複数の線状光と平行でない方向に移動させる移動機構を備えることが望ましい。
【００１４】
これにより、被検査体の表面の広い範囲を検査することができるようになる。また、前記の直接光受光タイプの場合には、線状の受光部で受光した直接反射光を蓄積することにより、被検査体の表面の画像を得ることができ、欠陥以外に、外形（寸法を含む）や装着物等の検査も可能となる。
【００１５】
このような移動機構を設けた場合、さらに、その一方の端部に、被検査体の表裏を反転させる反転機構を設けることが望ましい。これにより、移動機構で被検査体を一方向に移動させ、一方の面を検査した後、該反転機構でその表裏を反転させ、該移動機構で被検査体を逆方向に移動させて同じ装置で今度は他方の面を検査することができるようになる。これは外観検査装置をコンパクト化・低コスト化することとなる。
【００１６】
前記互いに近接した複数の平行な線状光は、線状の光源の一部をその長手方向に平行な遮光テープで覆うことにより作製することができる。例えば、線状の光源の幅方向の中央に、長手方向の全長に亘る遮光テープを貼付することにより、2本の平行な線状光を得ることができる。また、幅方向に2本の遮光テープを僅かに離して貼付することにより、3本の平行な線状光を得ることができる。
【００１７】
本発明に係る外観検査装置はさらに、イメージセンサを備えるようにしてもよい。上記の通り、直接光受光タイプでは線状光光源だけでも、移動機構を設けることにより被検査体の外形等検査が可能となるが、イメージセンサを設けることにより、より検査速度が向上する。
【発明の効果】
【００１８】
本発明に係る外観検査装置によると、被検査体の疵が浅いものであっても、高感度に検出することができるようになる。
【図面の簡単な説明】
【００１９】
【図１】本発明の一実施例に係る外観検査装置の概略構成を示す側面図(a)、及び上面図(b)。
【図２】同実施例のキャリアの概略上面図。
【図３】同実施例の欠陥検査用光源の発光面の概略図。
【図４】同実施例の欠陥検査部の概略構成を示す側面図(a)、ラインカメラの正面図(b)、欠陥検査用光源からの光が照射された被検査体の上面図(c)、及びライン視野を示す上面図(d)。
【図５】同実施例の反転部の概略構成を示す側面図(a)、正面図(b)、及び上面図(c)。
【図６】同実施例の反転部の動作を示す図。
【図７】同実施例の欠陥検査部において反射される光の概略図。
【図８】本発明の別の実施例に係る外観検査装置の欠陥検査用光源の発光面の概略図(a)、及び欠陥検査用光源から被検査体表面に照射される光とライン視野の関係を示す概略図(b)。
【図９】別の実施例に係る検査部の透過カメラの位置を示す側面図。
【図１０】同実施例の外観検査装置で検出した欠陥画像。
【発明を実施するための形態】
【００２０】
本発明の一実施例に係る外観検査装置１について、図１〜図６を参照して説明する。
本外観検査装置１は、スマートフォンの表面（「面Ａ」とする。）のガラス基板や、裏面（「面Ｂ」とする。）のケースの疵などの欠陥を検出し、さらに、表面にあるマイクや、裏面のケースに設けられた、カメラレンズのための穴（レンズ穴）が正しい箇所にあるかを検査するものである。なお、被検査体としては、スマートフォンに限定されることはなく、被検査体の表裏が光を反射する平面状のものであればよい。
【００２１】
本外観検査装置１は、図１示すように、被検査体Ｓを運搬するためのキャリア５１に被検査体Ｓを装着し又はキャリア５１から取り出す装着・取出部１０と、被検査体Ｓの欠陥及び外観を検査する検査部２０と、被検査体Ｓの表裏を反転させる反転機構６０と、キャリア５１を装着・取出部１０から検査部２０、反転機構６０まで搬送する搬送部５０とを備える。
【００２２】
装着・取出部１０は、被検査体Ｓをキャリア５１上に装着するロード機構１１と、被検査体Ｓをキャリア５１上から取り出すアンロード機構１２とを備える。これらはもちろん、手動で行ってもよい。
【００２３】
搬送部５０は、平行な2本のレール５２と、それらレール５２上を走行するキャリア５１を備えている。キャリア５１の下面と2本のレール５２の間にはそれぞれ、リニアモータ機構５３が設けられている（図１(b)）。
キャリア５１の上部には、図２に示すように、被検査体Ｓ（点線で示す。）の両側辺を支持する断面Ｌ字形の2つのガイド５１１及びそれらの間隔を変えるための幅調節ハンドル５１２、被検査体Ｓを両ガイド５１１間で挟持して固定するシリンダー５１３などを備える。
【００２４】
検査部２０は、欠陥検査部２１、外観検査部３１、及びそれらに接続された処理部４０を備える。処理部４０には、表示部４１が接続されている。
欠陥検査部２１は、欠陥検査用光源２２と、2台のラインカメラ２３ａ、２３ｂを備える。欠陥検査用光源２２は、3本の互いに平行な線状光を発光する。具体的には、指向性の高い青色LEDを多数、線状に1列に配置した線状光源２２（長さＬ＝約200 mm、幅Ｗ＝約21 mm）を用い、図３に示すように、その発光面の長手方向に、黒色の遮光テープ２４（幅ｗ１＝約6 mm）を2本、等しい間隔ｗ２（約3 mm）を設けて貼付したものを用いる。
【００２５】
図４(a)に示すように、欠陥検査用光源２２は、被検査体Ｓの上を向いている面Ａに対して、約7度の入射角（α）で照射されるように配置されている。
ラインカメラ２３ａ、２３ｂは、図４(b)に示すように、2台で被検査体Ｓの上面の全幅Ｌｗ（図１(b)参照）を撮像することができるように、キャリア５１の移動方向に垂直に、左右に並置されている。両ラインカメラ２３ａ、２３ｂは、図４(a)に示すように、欠陥検査用光源２２の幅方向中央からの光の正反射光が両ラインカメラ２３ａ、２３ｂのカメラ光軸が形成する面とほぼ一致するように設置されている。
【００２６】
外観検査部３１は、外観検査用光源３２とエリアカメラ３３とを備える。エリアカメラ３３は、その光軸が被検査体Ｓの上側の面Ａに対して垂直になるように設けられる。なお、このエリアカメラ３３が本発明のイメージセンサに該当する。外観検査用光源３２は、このエリアカメラ３３の光軸（図１(a)中の二点鎖線）と同軸のLED光源であり、被検査体Ｓの上側の面Ａ全体をほぼ均一に照射する。
【００２７】
処理部４０は、所定のプログラムを備えたパーソナルコンピュータであり、ラインカメラ２３ａ、２３ｂ及びエリアカメラ３３からのデータを受け、後述のように処理することにより被検査体Ｓの欠陥及び外観の検査を行い、それらの結果を予め定められた装置に送信するとともに、表示部４１に表示する。
【００２８】
反転機構６０は、図５(a)、(b)に示すように、複数の吸着パッド６４を備える反転ハンド６１と、反転ハンド６１を180度回転させるロータリー機構６２と、それらを上下に移動させる上下移動シリンダー６３を備える。
【００２９】
以下に、本外観検査装置１の動作を説明する。キャリア５１は、その初期位置がレール５２のスタート端Ｘ（図１(b)）となっており、本外観検査装置１を起動すると、キャリア５１はスタート端Ｘに移動される。
【００３０】
まず、キャリア５１の幅調節ハンドル５１２により両ガイド５１１の間隔が被検査体Ｓの幅Ｌｗに合わせて調節される。その後、装着・取出部１０において、ロード機構１１により被検査体Ｓが、面Ａを上にして両ガイド５１１の間に載置され、シリンダー５１３により固定される。
【００３１】
被検査体Ｓを保持したキャリア５１は、リニアモータ機構５３によって検査部２０に移動される。検査部２０では、まず、欠陥検査部２１において、搬送されてきた被検査体Ｓの上側の面Ａに、図４(c)に示すように、欠陥検査用光源２２から3本の平行な線状光ＳＬ３が照射される。この、線状光ＳＬ３が照射された面Ａの画像がラインカメラ２３ａ、２３ｂによって撮影され、処理部４０に送られる。
【００３２】
処理部４０は、撮影された画像のデータから、図４(d)に示すように、3本の平行な線状光ＳＬ３の中央の光の部分のデータのみをセンサ視野Ｖとして抜き出し、ライン画像とする（直接光受光タイプ）。本実施例では、センサ視野Ｖの幅Ｗｓ＝約28.35 μmである。このセンサ視野が本発明における線状の受光部に該当する。処理部４０は、空間フィルターによってライン画像からノイズを除去した後、欠陥の強調処理を行って、ライン検査データとする。このライン検査データは、例えば階調8ビットの場合、欠陥がない場合の光のレベルが256となり、欠陥がある場合は256以下となる。処理部４０は、このライン検査データに基づき、被検査体Ｓの面Ａに欠陥があるか否かを判定し、その結果を予め定められた装置に送信するとともに、表示部４１に表示する。
【００３３】
本外観検査装置１では、被検査体Ｓが欠陥検査部２１を通過する間、センサ視野Ｖが被検査体Ｓの面Ａを順次移動してゆき、各線状領域のライン画像が取得される。取得されたライン画像は順次処理部４０に送られて上記処理がなされ、欠陥の検査・判定が行われる。それと同時に、本外観検査装置１では、これら順次取得されるライン画像のデータを蓄積し、1個の被検査体Ｓがセンサ視野Ｖを全て通過した時点で、処理部４０は全てのライン画像データを統合して、被検査体Ｓの面Ａの全体画像を作成する。処理部４０は、この全体画像より、先に欠陥が存在すると判定された箇所を含む部分の画像データを（例えば、256×256ピクセル又は512×512ピクセルに）切り取って、欠陥画像データとして保存する。また、その欠陥画像を表示部４１に表示する。
【００３４】
本外観検査装置１では、欠陥検査用の光として3本の平行な線状光を用いており、センサ視野Ｖをその中央の線状光の中となるように配置しているため、被検査体Ｓの表面の欠陥が無い部分では、図７(a)に示すように、中央の線状光の光のみがセンサ視野Ｖ内に入る。一方、欠陥Ｄがある部分では、図７(b)に示すように、該欠陥Ｄに照射された中央の線状光からセンサ視野Ｖに入射する光の量が減少する一方、その両側の2本の線状光が該欠陥Ｄで反射され、正反射方向でない方向に反射（乱反射）されてセンサ視野Ｖに入射する。これらの光はセンサ視野Ｖ内で互いに干渉し、欠陥Ｄが無い場合の中央の線状光の正反射光のみの場合とは異なる状態となる。このため、1本の線状光を用いる場合よりも欠陥Ｄ、特に浅い疵を高感度に検出することができる。浅い疵を1本の線状光で検出しようとすると、光の入射角／反射角を大きく（すなわち、光源及びカメラを被検査体Ｓ表面に対して寝かせて）設置しなければならなかったが、本外観検査装置１では線状光の入射角を小さくすることができ、その結果、欠陥検査用光源２２とラインカメラ２３ａ、２３ｂの距離を小さくすることができる。これにより、装置の全長を小さくすることができる。
【００３５】
欠陥検査部２１を通過した被検査体Ｓは、さらに搬送され、外観検査部３１のエリア画像撮像位置に至った時、リニアモータ機構５３が停止される。エリア画像撮像位置では、同軸LED光源（外観検査用光源３２）が被検査体Ｓの面Ａ全体に照射されており、エリアカメラ３３によってエリア画像が撮像される。この撮像されたエリア画像は、処理部４０に送られ画像処理され、マイク穴の位置及び形状が所定の位置及び形状と一致しているかが判定される。処理部４０は、その判定結果を、予め定められた装置に送信するとともに、表示部４１に表示する。
【００３６】
その後、キャリア５１はさらに他方のレール端Ｙ（図１(b)参照）まで搬送され、そこで停止される。このとき、反転ハンド６１はキャリア５１に保持された被検査体Ｓの下方に位置している（図６(a)）。次に、上下移動シリンダー６３が上昇し、反転ハンド６１の上面の吸着パッド６４が被検査体Ｓの下側の面Ｂに接した時、吸着が行われ被検査体Ｓの面Ｂに吸着する（図６(b)）。また、この時点でキャリア５１のロック機構が解除される。
【００３７】
その後、上下移動シリンダー６３がさらに上昇し（図６(c)）、ロータリー機構６２が反転ハンド６１を180度回転する（図５(b)矢印の方向）。これにより被検査体Ｓの表裏が反転され、面Ｂが上を向く（図６(d)）。その後、上下移動シリンダー６３が下降し、被検査体Ｓの面Ａがキャリア５１に接した時点で吸着パッド６４による吸着が解除され（６(e)）、被検査体Ｓが面Ｂを上にした状態で両ガイド５１１に挟持されてシリンダー５１３によりロックされる。
【００３８】
その後、被検査体Ｓは前記とは反対の方向へ、すなわち、レール端Ｙからレール端Ｘへ向けて搬送される。そして、まず、外観検査部３１にて、面Ｂのエリア画像が撮像され、欠陥検査部２１にて、面Ｂのライン画像データが順次取得される。外観検査部３１、欠陥検査部２１での動作は面Ａの検査の場合と同様に行われ、外観検査部３１では、面Ｂのレンズ穴の位置と形状が検出されて、所定の位置及び形状と一致しているかが判定される。欠陥検査部２１では面Ｂの欠陥の有無の検査・判定が行われる。
【００３９】
被検査体Ｓが装着・取出部１０まで搬送されると、リニアモータ機構５３が停止され、ロック機構が解除された後、アンロード機構１２によってキャリア５１から取り出される。取り出された被検査体Ｓは、面Ａ及び面Ｂの外観及び欠陥の検査の結果に応じて、良品と不良品（又は要再検査品）に分けられる。
また、レール端Ｙでは、キャリア５１が反転機構６０から離れた後、ロータリー機構６２は再び180度回転して、反転ハンド６１は、吸着パッド６４が上方を向いた状態に戻される。
【００４０】
本外観検査装置１では、検査部を1つとし、被検査体Ｓがそこを往復するようにしているため、装置が小型化される。また、欠陥検査用光源２２やラインカメラ２３ａ、２３ｂを含む検査部位が欠陥検査部２１の1つでよいため、設備費用を抑えることができる。
【００４１】
本外観検査装置１では、被検査体Ｓの搬送をリニアモータ機構５３によって行っているため、被検査体Ｓの移動がスムーズとなり、撮影画像（ライン画像、エリア画像）に生じる歪やノイズを最小限に抑えて、欠陥検出の感度を上げることができる。また、高感度を維持したまま搬送速度を上げることも可能となり、検査の処理能力を上げることができる。
【００４２】
図８(a)は、本発明の別の実施例に係る外観検査装置１の欠陥検査用光源２５の発光面の概略図である。この欠陥検査用光源２５は、照明の発光面（幅Ｗ＝約21 mm）の幅方向中央に、黒色の遮光テープ２６（幅ｗ３＝約9 mm）を長手方向に1本貼付したものである。この実施例では、処理部４０は、ラインカメラ２３ａ、２３ｂによって撮影された画像中、図８(b)に示すように、2本の平行な線状光ＳＬ２の間の部分（遮光部分）をセンサ視野Ｖとし、その部分のデータを抜き出してライン画像データとする（散乱光受光タイプ）。欠陥の検出は、前述の例（階調8ビットの場合）で説明すると、欠陥がない場合は2本の線状光ＳＬ２の反射光を受光しないので、光のレベルが低く（ラインカメラ２３ａ、２３ｂの絞りによって60〜100程度となるように調整しておくとよい。）、欠陥がある場合は、2本の線状光ＳＬ２の欠陥による散乱光がセンサ視野Ｖに入射し、光のレベルはこれより大きくなる。
【００４３】
図１０(a)〜(e)に、本外観検査装置１によって検出されたガラス基板の表面欠陥の画像を示す。これらの画像は、散乱光受光タイプのもので、上記の欠陥画像データよりも広い範囲の画像である。図１０(a)はＣＦ側、図１０(b)〜(e)はＴＦＴ側の表面の画像である。これらの画像から明らかなように、本外観検査装置１によって欠陥が高感度に検出できている。
【００４４】
上記実施例は本発明の一例であり、本発明の趣旨の範囲で適宜に変形や修正、追加が許容される。
例えば、上記の実施例では、被検査体の外観の検査は、ラインカメラとは別のエリアカメラによって撮像したデータを使用しているが、ラインカメラのラインデータを統合して1つの画像を作成し、上記のエリア画像の代わりに用いてもよい。この場合、ラインカメラのみで欠陥と外観の両方の検査を行うことができるため、設備費用をより圧縮することができる。
【００４５】
また、被検査体の種類や検出する欠陥の種類に応じて欠陥検査用光源の発光面に貼り付ける遮光テープの幅や色を変えることによって、ラインカメラが撮像する欠陥のSN比を調整することもでき、それによってより高感度な欠陥検出が可能となる。
さらに、上記実施例では、被検査体に照射された欠陥検査用光源の反射光を受光することにより表面の欠陥を検出する構成としたが、被検査体が光の一部を透過する場合は、図９に示すように、この透過光を受光する透過ラインカメラ３５をさらに備えてもよい。この場合、透過ラインカメラ３５の撮像画像を、上記実施例のラインカメラ２３ａ、２３ｂによって取得されたライン撮像画像と同様の処理をすることにより欠陥を検出することができる。
【符号の説明】
【００４６】
１…外観検査装置
１０…装着・取出部
１１…ロード機構
１２…アンロード機構
２０…検査部
２１…欠陥検査部
２２、２５…欠陥検査用光源
２３ａ、２３ｂ…ラインカメラ
２４、２６…遮光テープ
３１…外観検査部
３２…外観検査用光源
３３…エリアカメラ
３５…透過ラインカメラ
４０…処理部
４１…表示部
５０…搬送部
５１…キャリア
５１１…ガイド
５１２…幅調節ハンドル
５１３…シリンダー
５２…レール
５３…リニアモータ機構
６０…反転機構
６１…反転ハンド
６２…ロータリー機構
６３…上下移動シリンダー
６４…吸着パッド
Ｄ…欠陥
Ｓ…被検査体
Ｖ…センサ視野
【図１】
2015225003.tif 000003
【図２】
2015225003.tif 000004
【図３】
2015225003.tif 000005
【図４】
2015225003.tif 000006
【図５】
2015225003.tif 000007
【図６】
2015225003.tif 000008
【図７】
2015225003.tif 000009
【図８】
2015225003.tif 000010
【図９】
2015225003.tif 000011
【図１０】
2015225003.tif 000012